(57)【要約】【課題】自動で記録再生機器のチューナのオートプリセット機能の動作確認を行うことが可能なテレビチューナオートプリセット測定テスト装置を提供する。【解決手段】測定チャンネル数ｎがＮ以下であると判定された場合には、測定チャンネル数に対応するＲＦ信号をテレビ信号発生器から出力させる。そのＲＦ信号を記録再生機器はビデオ出力信号を出力したとすると、そのビデオ出力信号を検出し、このとき、テレビ信号発生器からＲＦ信号のＶＢＩに乗せらせたクローズドキャプション信号をＴ秒出力させ、検出できれば、当該チャンネルはＯＫのチャンネルとしてテスト結果をメモリに記憶させ、検出できなければ、当該チャンネルはＮＧのチャンネルとしてテスト結果をメモリに記憶させる。そして、次の測定チャンネル数ｎに対して同様な処理を行い、測定チャンネル数ｎがＮを超えると、メモリに記憶されているテスト結果をディスプレイ装置に出力する。【選択図】図６
2007110277.tif 000002
【特許請求の範囲】
【請求項１】
テレビ放送信号を受信してチャンネルを選局するチューナを内蔵した記録再生機器に対して前記チューナの全選局周波数に渡ってオートプリセット機能を実行させ、測定テスト対象のチャンネルのプリセット状態を測定テストするテレビチューナオートプリセット測定テスト装置であって、
記録再生機器のチューナにテレビ放送信号の周波数のＲＦ信号およびＲＦ信号の垂直帰線消去期間に乗せられた重畳信号を発生するテレビ信号発生器と、
オートプリセット機能の測定テスト対象であるチャンネルの測定チャンネル数が所定の測定チャンネル数以下であるか否かを判定する測定チャンネル数判定手段、測定チャンネル数が所定の測定チャンネル数以下であると判定された場合に測定チャンネル数に対応する周波数のＲＦ信号を前記テレビ信号発生器から出力させるように制御するＲＦ信号出力制御手段、前記ＲＦ信号をチューナで受信した当該記録再生機器から出力されたビデオ出力信号を検出するビデオ出力信号検出手段、前記ビデオ出力信号が検出された時に前記テレビ信号発生器から予め決められた時間で重畳信号を出力させるように制御する重畳信号出力制御手段、前記重畳信号をチューナで受信した当該記録再生機器からの重畳信号を検出できたか否かを判定する重畳信号判定手段、前記重畳信号が検出できたと判定された場合に当該測定テストしたチャンネルを設定済みのチャンネルとして当該チャンネル番号を含むテスト結果をメモリに記憶させると共に前記重畳信号が検出できないと判定された場合に当該測定テストしたチャンネルを設定不可のチャンネルとして当該チャンネル番号を含むテスト結果をメモリに記憶させる設定済み／設定不可チャンネル記憶手段、前記設定済みまたは設定不可のチャンネルのチャンネル番号を含むテスト結果をメモリに記憶した後、測定チャンネル数を＋１加算する測定チャンネル数加算手段、および測定チャンネル数が所定の測定チャンネル数を超えると判定された場合にはディスプレイ装置に前記メモリに記憶されたテスト結果を出力するテスト結果出力手段を有する情報処理装置とから構成されたことを特徴とするテレビチューナオートプリセット測定テスト装置。
【請求項２】
テレビ放送信号を受信してチャンネルを選局するチューナを内蔵した記録再生機器に対して前記チューナの全選局周波数に渡ってオートプリセット機能を実行させ、測定テスト対象のチャンネルのプリセット状態を測定テストするテレビチューナオートプリセット測定テスト装置であって、
記録再生機器のチューナにテレビ放送信号の周波数のＲＦ信号およびＲＦ信号の垂直帰線消去期間に乗せられた重畳信号を発生するテレビ信号発生手段と、オートプリセット機能の測定テスト対象であるチャンネルの測定チャンネル数が所定の測定チャンネル数以下であるか否かを判定する測定チャンネル数判定手段と、測定チャンネル数が所定の測定チャンネル数以下であると判定された場合に測定チャンネル数に対応する周波数のＲＦ信号を前記テレビ信号発生手段から出力させるように制御するＲＦ信号出力制御手段と、前記ＲＦ信号をチューナで受信した当該記録再生機器から出力されたビデオ出力信号を検出するビデオ出力信号検出手段と、前記ビデオ出力信号が検出された時に前記テレビ信号発生器から予め決められた時間で重畳信号を出力させるように制御する重畳信号出力制御手段と、前記重畳信号をチューナで受信した当該記録再生機器からの重畳信号を検出できたか否かを判定する重畳信号判定手段と、前記重畳信号が検出できたと判定された場合に当該測定テストしたチャンネルを設定済みのチャンネルとして当該チャンネル番号を含むテスト結果をメモリに記憶させると共に前記重畳信号が検出できないと判定された場合に当該測定テストしたチャンネルを設定不可のチャンネルとして当該チャンネル番号を含むテスト結果をメモリに記憶させる設定済み／設定不可チャンネル記憶手段と、前記設定済みまたは設定不可のチャンネル番号を含むテスト結果をメモリに記憶した後、測定チャンネル数を＋１加算する測定チャンネル数加算手段と、測定チャンネル数が所定の測定チャンネル数を超えると判定された場合にはディスプレイ装置に前記メモリに記憶されたテスト結果を出力するテスト結果出力手段とを有するテレビチューナ測定テスト治具を備えたことを特徴とするテレビチューナオートプリセット測定テスト装置。
【請求項３】
テレビ放送信号を受信してチャンネルを選局するチューナを内蔵した記録再生機器に対して前記チューナの全選局周波数に渡ってオートプリセット機能を実行させ、測定テスト対象のチャンネルのプリセット状態を測定テストするテレビチューナオートプリセット測定テスト装置であって、
前記記録再生機器のチューナにテレビ放送信号の周波数のＲＦ信号およびＲＦ信号の垂直帰線消去期間に乗せられた重畳信号を発生するテレビ信号発生器と、
オートプリセット機能の測定テスト対象であるチャンネルの測定チャンネル数が所定の測定チャンネル数以下であると判定された場合に測定チャンネル数に対応する周波数のＲＦ信号を前記テレビ信号発生器から出力させ、前記ＲＦ信号をチューナで受信した当該記録再生機器から出力されたビデオ出力信号を検出し、前記ビデオ出力信号が検出された時に前記テレビ信号発生器から予め決められた時間で重畳信号を出力させ、前記重畳信号をチューナで受信した当該記録再生機器からの重畳信号が検出できたと判定された場合に当該測定テストしたチャンネルを設定済みのチャンネルとして当該チャンネル番号を含むテスト結果をメモリに記憶させ、前記重畳信号が検出できないと判定された場合に当該測定テストしたチャンネルを設定不可のチャンネルとして当該チャンネル番号を含むテスト結果をメモリに記憶させ、この後、測定チャンネル数が所定の測定チャンネル数を超えると判定された場合にはディスプレイ装置に前記メモリに記憶されたテスト結果を出力するという処理手段を有する情報処理装置とから構成されたことを特徴とするテレビチューナオートプリセット測定テスト装置。
【請求項４】
テレビ放送信号を受信してチャンネルを選局するチューナを内蔵した記録再生機器に対して前記チューナの全選局周波数に渡ってオートプリセット機能を実行させ、測定対象のチャンネルのプリセット状態を測定するテレビチューナオートプリセット測定テスト装置であって、
オートプリセット機能の測定テスト対象であるチャンネルの測定チャンネル数が所定の測定チャンネル数以下であると判定された場合に測定チャンネル数に対応する周波数のＲＦ信号をテレビ信号発生手段から出力させ、前記ＲＦ信号をチューナで受信した当該記録再生機器から出力されたビデオ出力信号を検出し、前記ビデオ出力信号が検出された時に前記テレビ信号発生手段から予め決められた時間で重畳信号を出力させ、前記重畳信号をチューナで受信した当該記録再生機器からの重畳信号が検出できたと判定された場合に当該測定テストしたチャンネルを設定済みのチャンネルとして当該チャンネル番号を含むテスト結果をメモリに記憶させ、前記重畳信号が検出できないと判定された場合に当該測定テストしたチャンネルを設定不可のチャンネルとして当該チャンネル番号を含むテスト結果をメモリに記憶させ、この後、測定チャンネル数が所定の測定チャンネル数を超えると判定された場合にはディスプレイ装置に前記メモリに記憶されたテスト結果を出力するという処理手段を有するテレビチューナ測定テスト治具を備えたことを特徴とするテレビチューナオートプリセット測定テスト装置。
【請求項５】
前記情報処理装置は、オートプリセット機能の測定テスト対象であるチャンネルの測定チャンネル数が所定の測定チャンネル数以下であるか否かを判定する測定チャンネル数判定手段、測定チャンネル数が所定の測定チャンネル数以下であると判定された場合に測定チャンネル数に対応する周波数のＲＦ信号をテレビ信号発生器から出力させるように制御するＲＦ信号出力制御手段、前記ＲＦ信号をチューナで受信した当該記録再生機器から出力されたビデオ出力信号を検出するビデオ出力信号検出手段、前記ビデオ出力信号が検出された時に前記テレビ信号発生器から予め決められた時間で重畳信号を出力させるように制御する重畳信号出力制御手段、前記重畳信号をチューナで受信した当該記録再生機器からの重畳信号を検出できたか否かを判定する重畳信号判定手段、前記重畳信号が検出できたと判定された場合に当該測定テストしたチャンネルを設定済みのチャンネルとして当該チャンネル番号を含むテスト結果をメモリに記憶させると共に前記重畳信号が検出できないと判定された場合に当該測定テストしたチャンネルを設定不可のチャンネルとして当該チャンネル番号を含むテスト結果をメモリに記憶させる設定済み／設定不可チャンネル記憶手段、前記設定済みまたは設定不可のチャンネル番号を含むテスト結果をメモリに記憶した後、測定チャンネル数を＋１加算する測定チャンネル数加算手段、および測定チャンネル数が所定の測定チャンネル数を超えると判定された場合にはディスプレイ装置に前記メモリに記憶されたテスト結果を出力するテスト結果出力手段を有することを特徴とする請求項３に記載のテレビチューナオートプリセット測定テスト装置。
【請求項６】
前記テレビチューナ測定テスト治具は、記録再生機器のチューナにテレビ放送信号の周波数のＲＦ信号およびＲＦ信号の垂直帰線消去期間に乗せられた重畳信号を発生するテレビ信号発生手段と、オートプリセット機能の測定テスト対象であるチャンネルの測定チャンネル数が所定の測定チャンネル数以下であるか否かを判定する測定チャンネル数判定手段と、測定チャンネル数が所定の測定チャンネル数以下であると判定された場合に測定チャンネル数に対応する周波数のＲＦ信号を前記テレビ信号発生手段から出力させるように制御するＲＦ信号出力制御手段と、前記ＲＦ信号をチューナで受信した当該記録再生機器から出力されたビデオ出力信号を検出するビデオ出力信号検出手段と、前記ビデオ出力信号が検出された時に前記テレビ信号発生手段から予め決められた時間で重畳信号を出力させるように制御する重畳信号出力制御手段と、前記重畳信号をチューナで受信した当該記録再生機器からの重畳信号を検出できたか否かを判定する重畳信号判定手段と、前記重畳信号が検出できたと判定された場合に当該測定テストしたチャンネルを設定済みのチャンネルとして当該チャンネル番号を含むテスト結果をメモリに記憶させると共に前記重畳信号が検出できないと判定された場合に当該測定テストしたチャンネルを設定不可のチャンネルとして当該チャンネル番号を含むテスト結果をメモリに記憶させる設定済み／設定不可チャンネル記憶手段と、前記設定済みまたは設定不可のチャンネル番号を含むテスト結果をメモリに記憶した後、測定チャンネル数を＋１加算する測定チャンネル数加算手段と、測定チャンネル数が所定の測定チャンネル数を超えると判定された場合にはディスプレイ装置に前記メモリに記憶されたテスト結果を出力するテスト結果出力手段とを有することを特徴とする請求項４に記載のテレビチューナオートプリセット測定テスト装置。
【発明の詳細な説明】
【技術分野】
【０００１】
本発明は、テレビ放送信号を受信してチャンネルを選局するチューナを内蔵した記録再生機器に対して前記チューナの全選局周波数に渡ってオートプリセット機能を実行させ、測定テスト対象のチャンネルのプリセット状態を測定テストするテレビチューナオートプリセット測定テスト装置に関する。
【背景技術】
【０００２】
記録媒体に対して映像音声情報を記録／再生する記録再生機器として、従来から知られているビデオカセットテープに対して映像音声情報を記録／再生するＶＣＲ（ビデオカセットレコーダ）や、近年普及してきているＤＶＤ（デジタルバーサタイルディスク）に対して映像音声情報を記録／再生するＤＶＤレコーダ、ハードディスクに対して映像音声情報を記録／再生するハードディスクレコーダ、あるいはＶＣＲとＤＶＤレコーダとハードディスクレコーダとの何れか二つ以上を組み合わせた複合型の記録再生機器が知られている。
【０００３】
これらの記録再生機器には、図３でも説明するが、アナログテレビ放送局からのアナログ放送電波を受信して所望のチャンネルのＲＦ信号を増幅して中間周波数信号に変換して中間周波数の映像音声信号を出力するチューナが備えられている。テレビ放送は、各地域あるいは各国によってチャンネル周波数が異なる。したがって、記録再生機器においては、チューナは、制御部のオートプリセット機能により、全選局周波数に渡って周波数を順番に自動的にプリセットが行われる。
【特許文献１】特開２０００−６８７９４号公報
【特許文献２】特開平７−６７０４７号公報
【特許文献３】特開平８−１５４０３９号公報
【発明の開示】
【発明が解決しようとする課題】
【０００４】
ところで、このようなチューナを備える記録再生機器では、工場での生産過程においてオートプリセット機能が正常に動作するか否かの動作確認が行われる。このオートプリセット機能の動作確認を行う場合、従来の確認方法では、数チャンネル分のチャンネル周波数に対応したテスト用の放送信号であるＲＦ信号を発生するテレビ信号発生器を用意し、チューナの全選局周波数帯に渡って周波数を順番にプリセットを実行させていた。
【０００５】
しかしながら、このような従来の確認方法では、テレビ信号発生器から出力するＲＦ信号の周波数を順次手動で切り換え、記録再生機器のチューナにＲＦ信号を供給し、記録再生機器から出力されるビデオ出力信号をモニターとしてのディスプレイ装置に映像を表示させてオートプリセット機能の動作確認を行っているので、全てのチャンネルの動作を確認するには、多くの時間を要し、記録再生機器の生産効率が低下し、これにより、記録再生機器のコストアップにも繋がる傾向にあった。
【０００６】
特許文献１の従来技術は、マイコンによってオートプリセット機能と同一の探局サブルーチンを使用した特定周波数における動作確認用のオートプリセットを可能としたため、製造工場にてオートプリセット機能の動作確認を行うにあたり、作業効率を向上させるようにしているが、この従来技術は、チューナの全選局周波数に渡ってオートプリセット機能を実行させるものではなく、特定の周波数のオートプリセット機能のみであるので、全選局周波数には対応できず、汎用性が劣る。
【０００７】
特許文献２の従来技術は、オートプリセット時に複数チャンネルを順次選局し、受信された放送信号に付加情報が含まれている場合には、そのときの選局チャンネルを付加情報チャンネルとして当該チャンネル番号を含むテスト結果をメモリに格納し、オートプリセット時にオートプリセット動作と並行して複数のチャンネルの中から付加情報チャンネルを検出することができるようにすることにより、オートプリセット動作の所要時間の拡大を抑制するようにしているが、この従来技術は、工場での生産過程において、ＶＣＲ、ＤＶＤレコーダ、ハードディスクレコーダなどの記録再生機器に備えられるチューナに対するチャンネルのオートプリセット機能が正常に動作するか否かの動作確認を行うものではない。
【０００８】
特許文献３の従来技術は、所定の地域範囲ごとに受信可能なチャンネルと、そのチャンネルを選局するためのポジション番号と放送局各データがエリアデータとして記憶されたエリアデータＲＯＭを設け、プリセットメモリに格納された選局データの放送チャンネルとエリアデータＲＯＭにおける放送チャンネルとを逐次比較していき、一致すればプリセットメモリの選局データを一致したエリアデータに置き換え、プリセット後は選局中のチャンネルが対応するポジション番号と放送局名を表示するようになっているが、この従来技術も、工場での生産過程において、ＶＣＲ、ＤＶＤレコーダ、ハードディスクレコーダなどの記録再生機器に備えられるチューナに対するチャンネルのオートプリセット機能が正常に動作するか否かの動作確認を行うものではない。
【０００９】
本発明は、上記のような課題を解決するためになされたもので、テレビ放送信号に相当するＲＦ信号の周波数を順次自動で切り換え、記録再生機器のチューナに、ＲＦ信号を供給し、更にＲＦ信号の垂直帰線消去期間に乗せた重畳信号を供給して、記録再生機器からビデオ出力信号および重畳信号を検出することにより、オートプリセット機能の動作確認を行うことが可能なテレビチューナオートプリセット測定テスト装置を提供することを目的とする。
【課題を解決するための手段】
【００１０】
上記目的を達成するために、請求項１の発明は、テレビ放送信号を受信してチャンネルを選局するチューナを内蔵した記録再生機器に対して前記チューナの全選局周波数に渡ってオートプリセット機能を実行させ、測定テスト対象のチャンネルのプリセット状態を測定テストするテレビチューナオートプリセット測定テスト装置であって、記録再生機器のチューナにテレビ放送信号の周波数のＲＦ信号およびＲＦ信号の垂直帰線消去期間に乗せられた重畳信号を発生するテレビ信号発生器と、オートプリセット機能の測定テスト対象であるチャンネルの測定チャンネル数が所定の測定チャンネル数以下であるか否かを判定する測定チャンネル数判定手段、測定チャンネル数が所定の測定チャンネル数以下であると判定された場合に測定チャンネル数に対応する周波数のＲＦ信号を前記テレビ信号発生器から出力させるように制御するＲＦ信号出力制御手段、前記ＲＦ信号をチューナで受信した当該記録再生機器から出力されたビデオ出力信号を検出するビデオ出力信号検出手段、前記ビデオ出力信号が検出された時に前記テレビ信号発生器から予め決められた時間で重畳信号を出力させるように制御する重畳信号出力制御手段、前記重畳信号をチューナで受信した当該記録再生機器からの重畳信号を検出できたか否かを判定する重畳信号判定手段、前記重畳信号が検出できたと判定された場合に当該測定テストしたチャンネルを設定済みのチャンネルとして当該チャンネル番号を含むテスト結果をメモリに記憶させると共に前記重畳信号が検出できないと判定された場合に当該測定テストしたチャンネルを設定不可のチャンネルとして当該チャンネル番号を含むテスト結果をメモリに記憶させる設定済み／設定不可チャンネル記憶手段、前記設定済みまたは設定不可のチャンネル番号を含むテスト結果をメモリに記憶した後、測定チャンネル数を＋１加算する測定チャンネル数加算手段、および測定チャンネル数が所定の測定チャンネル数を超えると判定された場合にはディスプレイ装置に前記メモリに記憶されたテスト結果を出力するテスト結果出力手段を有する情報処理装置とから構成されたことを特徴とするテレビチューナオートプリセット測定テスト装置を提供する。
【００１１】
この構成において、測定チャンネル数判定手段は、オートプリセット機能の測定テスト対象であるチャンネルに対応する測定チャンネル数が所定の測定チャンネル数以下であるか否かを判定し、測定チャンネル数が所定の測定チャンネル数以下であると判定された場合には、ＲＦ信号出力制御手段は、測定チャンネル数に対応するテレビチャンネルの周波数のＲＦ信号をテレビ信号発生器から出力させるように制御する。
【００１２】
テレビ信号発生器からのＲＦ信号をチューナで受信した記録再生機器は、ビデオ出力信号を出力したとすると、情報処理装置のビデオ出力信号検出手段は、そのビデオ出力信号を検出し、このとき、重畳信号出力制御手段は、テレビ信号発生器からＲＦ信号の垂直帰線消去期間に乗せられた垂直帰線消去期間の重畳信号を予め決められた時間で出力させるようにテレビ信号発生器を制御する。
【００１３】
そして、重畳信号判定手段では、記録再生機器からの重畳信号を検出できたか否かを判定する。記録再生機器からのビデオ出力信号に重畳信号が乗っていて重畳信号が検出できれば、当該チャンネルは設定済みのチャンネルとして当該チャンネル番号を含むテスト結果をメモリに記憶させ、そのビデオ出力信号に重畳信号が乗っていなく重畳信号が検出できなければ、当該チャンネルは設定不可のチャンネルとして当該チャンネル番号を含むテスト結果をメモリに記憶させる。
【００１４】
この後、次のチャンネルのテストに入るため、測定チャンネル数加算手段は、測定チャンネル数を＋１加算する。そして、次の測定チャンネル数に対して同様な処理を行い、測定チャンネル数が所定の測定チャンネル数を超えると、テスト結果出力手段は、前記メモリに記憶されているテスト結果をディスプレイ装置に出力する。
【００１５】
この構成によれば、テレビ放送信号に相当するＲＦ信号の周波数を順次自動で切り換え、記録再生機器のチューナに、ＲＦ信号を供給し、更にＲＦ信号の垂直帰線消去期間に乗せられた重畳信号を供給して、記録再生機器からビデオ出力信号および重畳信号を検出することにより、オートプリセット機能の動作確認を行うことが可能になる。即ち、この構成によれば、自動でチューナの全選局周波数に渡って行われるチャンネルのオートプリセットを確認すると同時にテスト結果をディスプレイ装置に一覧表示することで、受信に失敗したチャンネル（設定不可のチャンネル）を確認することができ、これにより、全てのチャンネルの動作を確認する時間が短縮されて記録再生機器の生産効率が向上し、これにより、記録再生機器のコストダウンも図ることが可能になる。
【００１６】
請求項２の発明は、テレビ放送信号を受信してチャンネルを選局するチューナを内蔵した記録再生機器に対して前記チューナの全選局周波数に渡ってオートプリセット機能を実行させ、測定テスト対象のチャンネルのプリセット状態を測定テストするテレビチューナオートプリセット測定テスト装置であって、記録再生機器のチューナにテレビ放送信号の周波数のＲＦ信号およびＲＦ信号の垂直帰線消去期間に乗せられた重畳信号を発生するテレビ信号発生手段と、オートプリセット機能の測定テスト対象であるチャンネルの測定チャンネル数が所定の測定チャンネル数以下であるか否かを判定する測定チャンネル数判定手段と、測定チャンネル数が所定の測定チャンネル数以下であると判定された場合に測定チャンネル数に対応する周波数のＲＦ信号を前記テレビ信号発生手段から出力させるように制御するＲＦ信号出力制御手段と、前記ＲＦ信号をチューナで受信した当該記録再生機器から出力されたビデオ出力信号を検出するビデオ出力信号検出手段と、前記ビデオ出力信号が検出された時に前記テレビ信号発生手段から予め決められた時間で重畳信号を出力させるように制御する重畳信号出力制御手段と、前記重畳信号をチューナで受信した当該記録再生機器からの重畳信号を検出できたか否かを判定する重畳信号判定手段と、前記重畳信号が検出できたと判定された場合に当該測定テストしたチャンネルを設定済みのチャンネルとして当該チャンネル番号を含むテスト結果をメモリに記憶させると共に前記重畳信号が検出できないと判定された場合に当該測定テストしたチャンネルを設定不可のチャンネルとして当該チャンネル番号を含むテスト結果をメモリに記憶させる設定済み／設定不可チャンネル記憶手段と、前記設定済みまたは設定不可のチャンネル番号を含むテスト結果をメモリに記憶した後、測定チャンネル数を＋１加算する測定チャンネル数加算手段と、測定チャンネル数が所定の測定チャンネル数を超えると判定された場合にはディスプレイ装置に前記メモリに記憶されたテスト結果を出力するテスト結果出力手段とを有するテレビチューナ測定テスト治具を備えたことを特徴とするテレビチューナオートプリセット測定テスト装置を提供する。
【００１７】
この構成において、測定チャンネル数判定手段は、オートプリセット機能の測定テスト対象であるチャンネルに対応する測定チャンネル数が所定の測定チャンネル数以下であるか否かを判定し、測定チャンネル数が所定の測定チャンネル数以下であると判定された場合には、ＲＦ信号出力制御手段は、測定チャンネル数に対応するテレビチャンネルの周波数のＲＦ信号をテレビ信号発生手段から出力させるように制御する。
【００１８】
テレビ信号発生手段からのＲＦ信号をチューナで受信した記録再生機器は、ビデオ出力信号を出力したとすると、情報処理装置のビデオ出力信号検出手段は、そのビデオ出力信号を検出し、このとき、重畳信号出力制御手段は、テレビ信号発生手段からＲＦ信号の垂直帰線消去期間に乗せられた重畳信号を予め決められた時間で出力させるようにテレビ信号発生手段を制御する。
【００１９】
そして、重畳信号判定手段では、記録再生機器からの重畳信号を検出できたか否かを判定する。記録再生機器からのビデオ出力信号に重畳信号が乗っていて検出できれば、当該チャンネルは設定済みのチャンネルとして当該チャンネル番号を含むテスト結果をメモリに記憶させるが、そのビデオ出力信号に重畳信号が乗っていなく検出できなければ、当該チャンネルは設定不可のチャンネルとして当該チャンネル番号を含むテスト結果をメモリに記憶させる。
【００２０】
この後、次のチャンネルのテストに入るため、測定チャンネル数加算手段は、測定チャンネル数を＋１加算する。そして、次の測定チャンネル数に対して同様な処理を行い、測定チャンネル数が所定の測定チャンネル数を超えると、テスト結果出力手段は、前記メモリに記憶されているテスト結果をディスプレイ装置に出力する。
【００２１】
この構成によれば、テレビ放送信号に相当するＲＦ信号の周波数を順次自動で切り換え、記録再生機器のチューナに、ＲＦ信号を供給し、更にＲＦ信号の垂直帰線消去期間に乗せられた重畳信号を供給して、記録再生機器からビデオ出力信号および重畳信号を検出することにより、オートプリセット機能の動作確認を行うことが可能になる。即ち、この構成によれば、自動でチューナの全選局周波数に渡って行われるチャンネルのオートプリセットを確認すると同時にテスト結果をディスプレイ装置に一覧表示することで、受信に失敗したチャンネル（設定不可のチャンネル）を確認することができ、これにより、全てのチャンネルの動作確認する時間が短縮されて記録再生機器の生産効率が向上し、これにより、記録再生機器のコストダウンも図ることが可能になる。
【００２２】
請求項３の発明は、テレビ放送信号を受信してチャンネルを選局するチューナを内蔵した記録再生機器に対して前記チューナの全選局周波数に渡ってオートプリセット機能を実行させ、測定テスト対象のチャンネルのプリセット状態を測定テストするテレビチューナオートプリセット測定テスト装置であって、前記記録再生機器のチューナにテレビ放送信号の周波数のＲＦ信号およびＲＦ信号の垂直帰線消去期間に乗せられた重畳信号を発生するテレビ信号発生器と、オートプリセット機能の測定テスト対象であるチャンネルの測定チャンネル数が所定の測定チャンネル数以下であると判定された場合に測定チャンネル数に対応する周波数のＲＦ信号を前記テレビ信号発生器から出力させ、前記ＲＦ信号をチューナで受信した当該記録再生機器から出力されたビデオ出力信号を検出し、前記ビデオ出力信号が検出された時に前記テレビ信号発生器から予め決められた時間で重畳信号を出力させ、前記重畳信号をチューナで受信した当該記録再生機器からの重畳信号が検出できたと判定された場合に当該測定テストしたチャンネルを設定済みのチャンネルとして当該チャンネル番号を含むテスト結果をメモリに記憶させ、前記重畳信号が検出できないと判定された場合に当該測定テストしたチャンネルを設定不可のチャンネルとして当該チャンネル番号を含むテスト結果をメモリに記憶させ、この後、測定チャンネル数が所定の測定チャンネル数を超えると判定された場合にはディスプレイ装置に前記メモリに記憶されたテスト結果を出力するという処理手段を有する情報処理装置とから構成されたことを特徴とするテレビチューナオートプリセット測定テスト装置を提供する。
【００２３】
この構成において、情報処理装置では、オートプリセット機能の測定テスト対象であるチャンネルに対応する測定チャンネル数が所定の測定チャンネル数以下であると判定された場合には、測定チャンネル数に対応するテレビチャンネルの周波数のＲＦ信号をテレビ信号発生器から出力させるように制御する。
【００２４】
テレビ信号発生器からのＲＦ信号をチューナで受信した記録再生機器は、ビデオ出力信号を出力したとすると、情報処理装置は、そのビデオ出力信号を検出し、このとき、テレビ信号発生器からＲＦ信号の垂直帰線消去期間に乗せられた垂直帰線消去期間の重畳信号を予め決められた時間で出力させるようにテレビ信号発生器を制御する。
【００２５】
そして、記録再生機器からの重畳信号を検出できたか否かを判定する。記録再生機器からのビデオ出力信号に重畳信号が乗っていれば、当該チャンネルは設定済みのチャンネルとして当該チャンネル番号を含むテスト結果をメモリに記憶させるが、そのビデオ出力信号に重畳信号が乗っていなければ、当該チャンネルは設定不可のチャンネルとして当該チャンネル番号を含むテスト結果をメモリに記憶させる。
【００２６】
この後、次のチャンネルのテストに入るため、測定チャンネル数を＋１加算する。そして、次の測定チャンネル数に対して同様な処理を行い、測定チャンネル数が所定の測定チャンネル数を超えると、前記メモリに記憶されているテスト結果をディスプレイ装置に出力する。
【００２７】
この構成によれば、テレビ放送信号に相当するＲＦ信号の周波数を順次自動で切り換え、記録再生機器のチューナに、ＲＦ信号を供給し、更にＲＦ信号の垂直帰線消去期間に乗せられた重畳信号を供給して、記録再生機器からビデオ出力信号および重畳信号を検出することにより、オートプリセット機能の動作確認を行うことが可能になる。即ち、この構成によれば、自動でチューナの全選局周波数に渡って行われるチャンネルのオートプリセットを確認すると同時にテスト結果をディスプレイ装置に一覧表示することで、受信に失敗したチャンネル（設定不可のチャンネル）を確認することができ、これにより、全てのチャンネルの動作確認する時間が短縮されて記録再生機器の生産効率が向上し、これにより、記録再生機器のコストダウンも図ることが可能になる。
【００２８】
請求項４の発明は、テレビ放送信号を受信してチャンネルを選局するチューナを内蔵した記録再生機器に対して前記チューナの全選局周波数に渡ってオートプリセット機能を実行させ、測定対象のチャンネルのプリセット状態を測定するテレビチューナオートプリセット測定テスト装置であって、オートプリセット機能の測定テスト対象であるチャンネルの測定チャンネル数が所定の測定チャンネル数以下であると判定された場合に測定チャンネル数に対応する周波数のＲＦ信号をテレビ信号発生手段から出力させ、前記ＲＦ信号をチューナで受信した当該記録再生機器から出力されたビデオ出力信号を検出し、前記ビデオ出力信号が検出された時に前記テレビ信号発生手段から予め決められた時間で重畳信号を出力させ、前記重畳信号をチューナで受信した当該記録再生機器からの重畳信号が検出できたと判定された場合に当該測定テストしたチャンネルを設定済みのチャンネルとして当該チャンネル番号を含むテスト結果をメモリに記憶させ、前記重畳信号が検出できないと判定された場合に当該測定テストしたチャンネルを設定不可のチャンネルとして当該チャンネル番号を含むテスト結果をメモリに記憶させ、この後、測定チャンネル数が所定の測定チャンネル数を超えると判定された場合にはディスプレイ装置に前記メモリに記憶されたテスト結果を出力するという処理手段を有するテレビチューナ測定テスト治具を備えたことを特徴とするテレビチューナオートプリセット測定テスト装置を提供する。
【００２９】
この構成において、テレビチューナ測定テスト治具では、オートプリセット機能の測定テスト対象であるチャンネルに対応する測定チャンネル数が所定の測定チャンネル数以下であると判定された場合には、測定チャンネル数に対応するテレビチャンネルの周波数のＲＦ信号をテレビ信号発生手段から出力させるように制御する。
【００３０】
テレビ信号発生手段からのＲＦ信号をチューナで受信した記録再生機器は、ビデオ出力信号を出力したとすると、テレビチューナ測定テスト治具は、そのビデオ出力信号を検出し、このとき、テレビ信号発生手段からＲＦ信号の垂直帰線消去期間に乗せられた垂直帰線消去期間の重畳信号を予め決められた時間で出力させるようにテレビ信号発生手段を制御する。
【００３１】
そして、記録再生機器からの重畳信号を検出できたか否かを判定する。記録再生機器からのビデオ出力信号に重畳信号が乗っていれば、当該チャンネルは設定済みのチャンネルとして当該チャンネル番号を含むテスト結果をメモリに記憶され、そのビデオ出力信号に重畳信号が乗っていなければ、当該チャンネルは設定不可のチャンネルとして当該チャンネル番号を含むテスト結果をメモリに記憶させる。
【００３２】
この後、次のチャンネルのテストに入るため、測定チャンネル数を＋１加算する。そして、次の測定チャンネル数に対して同様な処理を行い、測定チャンネル数が所定の測定チャンネル数を超えると、前記メモリに記憶されているテスト結果をディスプレイ装置に出力する。
【００３３】
この構成によれば、テレビ放送信号に相当するＲＦ信号の周波数を順次自動で切り換え、記録再生機器のチューナに、ＲＦ信号を供給し、更にＲＦ信号の垂直帰線消去期間に乗せられた重畳信号を供給して、記録再生機器からビデオ出力信号および重畳信号を検出することにより、オートプリセット機能の動作確認を行うことが可能になる。即ち、この構成によれば、自動でチューナの全選局周波数に渡って行われるチャンネルのオートプリセットを確認すると同時にテスト結果をディスプレイ装置に一覧表示することで、受信に失敗したチャンネル（設定不可のチャンネル）を確認することができ、これにより、全てのチャンネルの動作確認する時間が短縮されて記録再生機器の生産効率が向上し、これにより、記録再生機器のコストダウンも図ることが可能になる。
【００３４】
請求項５の発明は、請求項３の発明において、前記情報処理装置は、オートプリセット機能の測定テスト対象であるチャンネルの測定チャンネル数が所定の測定チャンネル数以下であるか否かを判定する測定チャンネル数判定手段、測定チャンネル数が所定の測定チャンネル数以下であると判定された場合に測定チャンネル数に対応する周波数のＲＦ信号を前記テレビ信号発生器から出力させるように制御するＲＦ信号出力制御手段、前記ＲＦ信号をチューナで受信した当該記録再生機器から出力されたビデオ出力信号を検出するビデオ出力信号検出手段、前記ビデオ出力信号が検出された時に前記テレビ信号発生器から予め決められた時間で重畳信号を出力させるように制御する重畳信号出力制御手段、前記重畳信号をチューナで受信した当該記録再生機器からの重畳信号を検出できたか否かを判定する重畳信号判定手段、前記重畳信号が検出できたと判定された場合に当該測定テストしたチャンネルを設定済みのチャンネルとして当該チャンネル番号を含むテスト結果当該チャンネル番号を含むテスト結果をメモリに記憶させると共に前記重畳信号が検出できないと判定された場合に当該測定テストしたチャンネルを設定不可のチャンネルとして当該チャンネル番号を含むテスト結果をメモリに記憶させる設定済み／設定不可チャンネル記憶手段、前記設定済みまたは設定不可のチャンネル番号を含むテスト結果をメモリに記憶した後、測定チャンネル数を＋１加算する測定チャンネル数加算手段、および測定チャンネル数が所定の測定チャンネル数を超えると判定された場合にはディスプレイ装置に前記メモリに記憶されたテスト結果を出力するテスト結果出力手段を有する。
【００３５】
したがって、前記情報処理装置は、測定チャンネル数判定処理、ＲＦ信号出力制御処理、ビデオ出力信号検出処理、重畳信号出力制御処理、重畳信号判定処理、設定済み／設定不可チャンネル番号記憶処理、測定チャンネル数加算処理、およびテスト結果出力処理を実現でき、これにより、テレビ放送信号に相当するＲＦ信号の周波数を順次自動で切り換え、記録再生機器のチューナに、ＲＦ信号を供給し、更にＲＦ信号の垂直帰線消去期間に乗せられた重畳信号を供給して、記録再生機器からビデオ出力信号および重畳信号を検出することにより、オートプリセット機能の動作確認を行うことが可能になる。
【００３６】
請求項６の発明では、請求項４の発明において、前記テレビチューナ測定テスト治具は、前記記録再生機器のチューナにテレビ放送信号の周波数のＲＦ信号およびＲＦ信号の垂直帰線消去期間に乗せられた重畳信号を発生するテレビ信号発生手段と、オートプリセット機能の測定テスト対象であるチャンネルの測定チャンネル数が所定の測定チャンネル数以下であるか否かを判定する測定チャンネル数判定手段と、測定チャンネル数が所定の測定チャンネル数以下であると判定された場合に測定チャンネル数に対応する周波数のＲＦ信号を前記テレビ信号発生手段から出力させるように制御するＲＦ信号出力制御手段と、前記ＲＦ信号をチューナで受信した当該記録再生機器から出力されたビデオ出力信号を検出するビデオ出力信号検出手段と、前記ビデオ出力信号が検出された時に前記テレビ信号発生手段から予め決められた時間で重畳信号を出力させるように制御する重畳信号出力制御手段と、前記重畳信号をチューナで受信した当該記録再生機器からの重畳信号を検出できたか否かを判定する重畳信号判定手段と、前記重畳信号が検出できたと判定された場合に当該測定テストしたチャンネルを設定済みのチャンネルとして当該チャンネル番号を含むテスト結果をメモリに記憶させると共に前記重畳信号が検出できないと判定された場合に当該測定テストしたチャンネルを設定不可のチャンネルとして当該チャンネル番号を含むテスト結果をメモリに記憶させる設定済み／設定不可チャンネル記憶手段と、前記設定済みまたは設定不可のチャンネル番号を含むテスト結果をメモリに記憶した後、測定チャンネル数を＋１加算する測定チャンネル数加算手段と、測定チャンネル数が所定の測定チャンネル数を超えると判定された場合にはディスプレイ装置に前記メモリに記憶されたテスト結果を出力するテスト結果出力手段とを有する。
【００３７】
したがって、前記テレビチューナ測定テスト治具は、テレビ信号発生処理、測定チャンネル数判定処理、ＲＦ信号出力制御処理、ビデオ出力信号検出処理、重畳信号出力制御処理、重畳信号判定処理、設定済み／設定不可チャンネル番号記憶処理、測定チャンネル数加算処理、およびテスト結果出力処理を実現でき、これにより、テレビ放送信号に相当するＲＦ信号の周波数を順次自動で切り換え、記録再生機器のチューナに、ＲＦ信号を供給し、更にＲＦ信号の垂直帰線消去期間に乗せられた重畳信号を供給して、記録再生機器からビデオ出力信号および重畳信号を検出することにより、オートプリセット機能の動作確認を行うことが可能になる。
【発明の効果】
【００３８】
以上のように本発明によれば、テレビ放送信号を受信してチャンネルを選局するチューナを内蔵した記録再生機器に対して前記チューナの全選局周波数に渡ってオートプリセット機能を実行させ、測定対象のチャンネルのプリセット状態を測定するテレビチューナオートプリセット測定テスト装置であって、前記記録再生機器のチューナにテレビ放送信号の周波数のＲＦ信号およびＲＦ信号の垂直帰線消去期間に乗せられた重畳信号を発生するテレビ信号発生器と、オートプリセット機能の測定テスト対象であるチャンネルの測定チャンネル数が所定の測定チャンネル数以下であるか否かを判定する測定チャンネル数判定手段、測定チャンネル数が所定の測定チャンネル数以下であると判定された場合に測定チャンネル数に対応する周波数のＲＦ信号を前記テレビ信号発生器から出力させるように制御するＲＦ信号出力制御手段、前記ＲＦ信号をチューナで受信した当該記録再生機器から出力されたビデオ出力信号を検出するビデオ出力信号検出手段、前記ビデオ出力信号が検出された時に前記テレビ信号発生器から予め決められた時間で重畳信号を出力させるように制御する重畳信号出力制御手段、前記重畳信号をチューナで受信した当該記録再生機器からの重畳信号を検出できたか否かを判定する重畳信号判定手段、前記重畳信号が検出できたと判定された場合に当該測定テストしたチャンネルを設定済みのチャンネルとして当該チャンネル番号を含むテスト結果をメモリに記憶させると共に前記重畳信号が検出できないと判定された場合に当該測定テストしたチャンネルを設定不可のチャンネルとして当該チャンネル番号を含むテスト結果をメモリに記憶させる設定済み／設定不可チャンネル記憶手段、前記設定済みまたは設定不可のチャンネル番号を含むテスト結果をメモリに記憶した後、測定チャンネル数を＋１加算する測定チャンネル数加算手段、および測定チャンネル数が所定の測定チャンネル数を超えると判定された場合にはディスプレイ装置に前記メモリに記憶されたテスト結果を出力するテスト結果出力手段を有する情報処理装置とから構成されたので、自動でチューナの全選局周波数に渡って行われるチャンネルのオートプリセットを確認すると同時にテスト結果をディスプレイ装置に一覧表示することができ、これにより、受信に失敗したチャンネル（設定不可のチャンネル）を確認することができ、したがって、全てのチャンネルの動作確認する時間が短縮されて記録再生機器の生産効率が向上し、記録再生機器のコストダウンも図ることが可能になる。
【００３９】
また、本発明によれば、テレビ放送信号を受信してチャンネルを選局するチューナを内蔵した記録再生機器に対して前記チューナの全選局周波数に渡ってオートプリセット機能を実行させ、測定対象のチャンネルのプリセット状態を測定するテレビチューナオートプリセット測定テスト装置であって、前記記録再生機器のチューナにテレビ放送信号の周波数のＲＦ信号およびＲＦ信号の垂直帰線消去期間に乗せられた重畳信号を発生するテレビ信号発生手段と、オートプリセット機能の測定テスト対象であるチャンネルの測定チャンネル数が所定の測定チャンネル数以下であるか否かを判定する測定チャンネル数判定手段と、測定チャンネル数が所定の測定チャンネル数以下であると判定された場合に測定チャンネル数に対応する周波数のＲＦ信号を前記テレビ信号発生手段から出力させるように制御するＲＦ信号出力制御手段と、前記ＲＦ信号をチューナで受信した当該記録再生機器から出力されたビデオ出力信号を検出するビデオ出力信号検出手段と、前記ビデオ出力信号が検出された時に前記テレビ信号発生手段から予め決められた時間で重畳信号を出力させるように制御する重畳信号出力制御手段と、前記重畳信号をチューナで受信した当該記録再生機器からの重畳信号を検出できたか否かを判定する重畳信号判定手段と、前記重畳信号が検出できたと判定された場合に当該測定テストしたチャンネルを設定済みのチャンネルとして当該チャンネル番号を含むテスト結果をメモリに記憶させると共に前記重畳信号が検出できないと判定された場合に当該測定テストしたチャンネルを設定不可のチャンネルとして当該チャンネル番号を含むテスト結果をメモリに記憶させる設定済み／設定不可チャンネル記憶手段と、前記設定済みまたは設定不可のチャンネル番号を含むテスト結果をメモリに記憶した後、測定チャンネル数を＋１加算する測定チャンネル数加算手段と、測定チャンネル数が所定の測定チャンネル数を超えると判定された場合にはディスプレイ装置に前記メモリに記憶されたテスト結果を出力するテスト結果出力手段とを有するテレビチューナ測定テスト治具を備えたので、自動でチューナの全選局周波数に渡って行われるチャンネルのオートプリセットを確認すると同時にテスト結果をディスプレイ装置に一覧表示することができ、これにより、受信に失敗したチャンネル（設定不可のチャンネル）を確認することができ、したがって、全てのチャンネルの動作確認する時間が短縮されて記録再生機器の生産効率が向上し、これにより、記録再生機器のコストダウンも図ることが可能になる。
【００４０】
また、本発明によれば、テレビ放送信号を受信してチャンネルを選局するチューナを内蔵した記録再生機器に対して前記チューナの全選局周波数に渡ってオートプリセット機能を実行させ、測定対象のチャンネルのプリセット状態を測定するテレビチューナオートプリセット測定テスト装置であって、前記記録再生機器のチューナにテレビ放送信号の周波数のＲＦ信号およびＲＦ信号の垂直帰線消去期間に乗せられた重畳信号を発生するテレビ信号発生器と、オートプリセット機能の測定テスト対象であるチャンネルの測定チャンネル数が所定の測定チャンネル数以下であると判定された場合に測定チャンネル数に対応する周波数のＲＦ信号を前記テレビ信号発生器から出力させ、前記ＲＦ信号をチューナで受信した当該記録再生機器から出力されたビデオ出力信号を検出し、前記ビデオ出力信号が検出された時に前記テレビ信号発生器から予め決められた時間で重畳信号を出力させ、前記重畳信号をチューナで受信した当該記録再生機器からの重畳信号が検出できたと判定された場合に当該測定テストしたチャンネルを設定済みのチャンネルとして当該チャンネル番号を含むテスト結果をメモリに記憶させ、前記重畳信号が検出できないと判定された場合に当該測定テストしたチャンネルを設定不可のチャンネルとして当該チャンネル番号を含むテスト結果をメモリに記憶させ、この後、測定チャンネル数が所定の測定チャンネル数を超えると判定された場合にはディスプレイ装置に前記メモリに記憶されたテスト結果を出力するという処理手段を有する情報処理装置とから構成されたので、自動でチューナの全選局周波数に渡って行われるチャンネルのオートプリセットを確認すると同時にテスト結果をディスプレイ装置に一覧表示することができ、これにより、受信に失敗したチャンネル（設定不可のチャンネル）を確認することができ、したがって、全てのチャンネルの動作確認する時間が短縮されて記録再生機器の生産効率が向上し、記録再生機器のコストダウンも図ることが可能になる。
【００４１】
また、本発明によれば、テレビ放送信号を受信してチャンネルを選局するチューナを内蔵した記録再生機器に対して前記チューナの全選局周波数に渡ってオートプリセット機能を実行させ、測定対象のチャンネルのプリセット状態を測定するテレビチューナオートプリセット測定テスト装置であって、オートプリセット機能の測定テスト対象であるチャンネルの測定チャンネル数が所定の測定チャンネル数以下であると判定された場合に測定チャンネル数に対応する周波数のＲＦ信号をテレビ信号発生手段から出力させ、前記ＲＦ信号をチューナで受信した当該記録再生機器から出力されたビデオ出力信号を検出し、前記ビデオ出力信号が検出された時に前記テレビ信号発生手段から予め決められた時間で重畳信号を出力させ、前記重畳信号をチューナで受信した当該記録再生機器からの重畳信号が検出できたと判定された場合に当該測定テストしたチャンネルを設定済みのチャンネルとして当該チャンネル番号を含むテスト結果をメモリに記憶させ、前記重畳信号が検出できないと判定された場合に当該測定テストしたチャンネルを設定不可のチャンネルとして当該チャンネル番号を含むテスト結果をメモリに記憶させ、この後、測定チャンネル数が所定の測定チャンネル数を超えると判定された場合にはディスプレイ装置に前記メモリに記憶されたテスト結果を出力するという処理手段を有するテレビチューナ測定テスト治具を備えたので、自動でチューナの全選局周波数に渡って行われるチャンネルのオートプリセットを確認すると同時にテスト結果をディスプレイ装置に一覧表示することができ、これにより、受信に失敗したチャンネル（設定不可のチャンネル）を確認することができ、したがって、全てのチャンネルの動作確認する時間が短縮されて記録再生機器の生産効率が向上し、これにより、記録再生機器のコストダウンも図ることが可能になる。
【発明を実施するための最良の形態】
【００４２】
以下、添付図面を参照しつつ、本発明の実施の形態について説明する。図１は本発明の第１の実施形態に係るテレビチューナオートプリセット測定テスト装置（テレビ信号発生器およびパソコン）が記録再生機器に接続された状態を示す構成図である。
【００４３】
図１において、Ａは、ＤＶＤレコーダ、ハードディスクレコーダ、ビデオカセットレコーダなどの記録再生機器を示す。Ｂは、テレビ放送信号の周波数のＲＦ信号、このＲＦ信号の垂直帰線消去期間（ＶＢＩ；Vertical Blanking Interval）に乗せられたクローズドキャプション（Closed Caption）信号、テルテキスト（Tel Text）信号などを発生するテレビ信号発生器を示す。Ｃは、テレビ信号発生器Ｂを制御したり、記録再生機器Ａからのビデオ出力信号を入力して測定テストしたりする情報処理装置としてのパソコン（パーソナルコンピュータ）を示す。ＤはパソコンＣのモニターとしてのディスプレイ装置を示す。パソコンＣの制御出力端子とテレビ信号発生器Ｂの制御入力端子とは、ＲＳ２３２ＣなどのインターフェイスのケーブルＬ１により接続されている。テレビ信号発生器Ｂの信号出力端子と記録再生機器ＡのＲＦ入力端子とは、ＲＦ信号用ケーブルＬ２により接続されている。記録再生機器Ａのビデオ出力端子とパソコンＣのビデオ入力端子とは、ビデオ信号用ケーブルＬ３により接続されている。
【００４４】
オートプリセット機能を、記録再生機器の製造過程で動作を確認するためにテスト映像を出す際に、映像信号が乗っていない垂直帰線消去期間（ＶＢＩ）のラインに乗せられた信号を利用する場合は、通常、ＵＳＡ（米国）向けの記録再生機器ではチューナテストモードでクローズドキャプションの信号を利用、日本向けの記録再生機器では垂直帰線消去期間（ＶＢＩ）のテスト信号を利用、欧州向けではテルテキストの信号を利用して、記録再生機器に備えられるチューナのオートプリセット機能の確認を行っている。
【００４５】
図２は第１の実施形態の特徴としてパソコンＣに設けられたテレビチューナオートプリセット測定テスト機能に必要な手段を説明するためのブロック図である。
【００４６】
図２において、パソコンＣは、オートプリセット機能の測定テスト対象であるチャンネルの測定チャンネル数が所定の測定チャンネル数以下であるか否かを判定する測定チャンネル数判定手段ｃ１と、測定チャンネル数が所定の測定チャンネル数以下であると判定された場合に測定チャンネル数に対応する周波数のＲＦ信号をテレビ信号発生器Ｂから出力させるように制御するＲＦ信号出力制御手段ｃ２と、前記ＲＦ信号をチューナ２で受信した記録再生機器Ａの映像出力回路９から出力されたビデオ出力信号を検出するビデオ出力信号検出手段ｃ３と、前記ビデオ出力信号が検出された時にテレビ信号発生器Ｂから予め決められた時間でクローズドキャプション信号やテルテキスト信号などの重畳信号をＲＦ信号の垂直帰線消去期間（ＶＢＩ）に乗せて出力させるように制御する重畳信号出力制御手段ｃ４とを有する。
【００４７】
また、パソコンＣは、前記重畳信号をチューナ２で受信した記録再生機器Ａからの重畳信号を検出できたか否かを判定する重畳信号判定手段ｃ５と、前記重畳信号が検出できたと判定された場合に当該測定テストしたチャンネルを設定済みのチャンネルとして当該チャンネル番号を含むテスト結果をメモリＭに記憶させると共に前記重畳信号が検出できないと判定された場合に当該測定テストしたチャンネルを設定不可のチャンネルとして当該チャンネル番号を含むテスト結果をメモリＭに記憶させる設定済み／設定不可チャンネル記憶手段ｃ６と、前記設定済みまたは設定不可のチャンネル番号を含むテスト結果をメモリＭに記憶した後、測定チャンネル数を＋１加算する測定チャンネル数加算手段ｃ７と、測定チャンネル数が所定の測定チャンネル数を超えると判定された場合にはディスプレイ装置Ｄに前記メモリＭに記憶されたテスト結果を出力するテスト結果出力手段ｃ８とを有する。
【００４８】
図３は第１の実施形態において記録再生機器に備えられているアナログ放送受信装置の構成を示すブロック図である。図３において、アナログ放送受信装置１は、ＤＶＤレコーダ、ハードディスクレコーダ、ビデオカセットレコーダなど、記録媒体に情報を記録したり、記録媒体に記録された情報を再生したりする記録再生機器Ａに備えられている。
【００４９】
このアナログ放送受信装置１は、アナログテレビ放送局からのアナログ放送電波を受信して所望のチャンネルのＲＦ信号を増幅して中間周波数信号に変換して中間周波数の映像音声信号を出力するチューナ２と、このチューナ２からの中間周波数の映像信号を増幅して検波して映像信号を生成する処理を行うと共に同じくチューナ２からの中間周波数の音声信号を増幅して検波して音声信号を生成する処理を行って、映像インターフェイス３１を介して映像信号を出力すると共に音声インターフェイス３２を介して音声信号を出力する映像音声処理回路３とを備えている。
【００５０】
映像インターフェイス３１からの映像信号は、映像出力回路９に供給され、図示しないテレビ受信機などのディスプレイ装置が表示動作できるように増幅される。音声インターフェイス３２からの音声信号は、音声出力回路１０に供給され、図示しないスピーカが音声出力できるように増幅される。また、映像出力回路９からのビデオ出力信号（映像信号）は、この実施形態では、ビデオ信号用ケーブルを介してパソコンのビデオ入力端子に入力され、オートプリセット機能の測定テストに用いられる。
【００５１】
また、このアナログ放送受信装置１は、各構成要素を制御する制御部４と、この制御部４の動作に必要な情報を記憶するメモリ５と、リモコン８からの赤外線信号を受信して電気信号に変換して制御部４に供給するリモコンレシーバ６と、特定の放送局から送られてきた電子番組表の番組情報データを入力して番組情報を解析する番組情報解析手段７と備えている。また、制御部４は、チューナ２の全選局周波数に渡って自動的に選局を設定するオートプリセット機能も有する。
【００５２】
図４はＵＳＡにおけるテレビチューナ周波数を説明するためのテーブル図である。図５は図４に示すテーブル図の続きを示すテーブル図である。図４において、測定チャンネル数ｎは、パソコンＣによりテレビ信号発生器Ｂに対して、測定テストするテレビチャンネルの周波数を指定するためのものである。また、測定チャンネル数ｎは、図７および図８で示すテレビチューナ測定テスト治具Ｅにおいて測定テストするテレビチャンネルの周波数を指定するためのものである。例えば、測定チャンネル数ｎが０ならば、周波数５５．２５ＭＨｚのテレビチャンネル２が指定され、測定チャンネル数ｎが１ならば、周波数６１．２５ＭＨｚのテレビチャンネル３が指定される。以下同様に、最後の測定チャンネル数ｎが６８ならば、周波数８０１．２５ＭＨｚのテレビチャンネル６９が指定される。
【００５３】
図６は第１の実施形態のテレビチューナオートプリセット測定テスト装置を用いて記録再生機器におけるテレビチャンネルのオートプリセット機能の測定テストを行う処理を説明するためのフローチャートである。このフローチャートおよび図１〜図５を参照して第１の実施形態のテレビチューナオートプリセット測定テスト装置を用いて記録再生機器におけるテレビチャンネルのオートプリセット機能の測定テストを行う処理について説明する。
【００５４】
先ず、パソコンＣにおいて初期設定として測定チャンネルｎを０にセットする（ステップＳ１）。そして、測定チャンネル数ｎが最後の測定チャンネル数Ｎを越えるまで、ステップＳ２〜ステップＳ９までの処理を繰り返す。即ち、パソコンＣの測定チャンネル数判定手段ｃ１は、オートプリセット機能の測定テスト対象であるチャンネルに対応する測定チャンネル数ｎが最後の測定チャンネル数Ｎ以下であるか否かを判定し（ステップＳ２）、測定チャンネル数ｎが最後の測定チャンネル数Ｎ以下であると判定された場合には、ＲＦ信号出力制御手段ｃ２は、測定チャンネル数ｎに対応するテレビチャンネルの周波数のＲＦ信号をテレビ信号発生器Ｂから出力させるように制御する（ステップＳ３）。これにより、テレビ信号発生器Ｂからは、測定チャンネル数ｎに対応するテレビチャンネルの周波数のＲＦ信号が出力される。
【００５５】
パソコンＣは、指定された測定チャンネル数ｎが０であれば、図４に示すように、テレビチャンネル２を示す周波数５５．２５ＭＨｚのＲＦ信号をテレビ信号発生器Ｂより出力させ（ステップＳ３）、この５５．２５ＭＨｚのＲＦ信号を受信した記録再生機器Ａのチューナ２は、そのＲＦ信号を中間周波数の映像信号に変換し、映像音声処理回路３は、その中間周波数の映像信号を増幅して検波して映像信号を生成する処理を行って、映像インターフェイス３１を介して映像信号を出力する。
【００５６】
そして、映像出力回路９は、映像インターフェイス３１を介して入力された映像信号を増幅し、ビデオ出力信号としてビデオ信号ケーブルＬ３を介してパソコンＣのビデオ入力端子に入力する。これにより、パソコンＣのビデオ出力信号検出手段ｃ３は、映像出力回路９からのビデオ出力信号を検出し（ステップＳ４）、チューナ２におけるチャンネルのプリセットを確認する。このとき、重畳信号出力制御手段ｃ４は、テレビ信号発生器ＢからＲＦ信号の垂直帰線消去期間（ＶＢＩ）に乗せられたクローズドキャプション信号をＴ秒出力させるようにテレビ信号発生器Ｂを制御する（ステップＳ５）。このＴ秒は、記録再生機器Ａのチューナ２に対するオートプリセットの処理速度に合わせた時間である。
【００５７】
即ち、パソコンＣの重畳信号出力制御手段ｃ４は、テレビ信号発生器Ｂを制御して、例えば、５５．２５ＨｚのＲＦ信号の垂直帰線消去期間（ＶＢＩ）に乗せられたクローズドキャプション信号をＴ秒テレビ信号発生器Ｂから出力させる。そして、パソコンＣの重畳信号判定手段ｃ５では、記録再生機器Ａからのクローズドキャプション信号をＴ秒検出できたか否かを判定する（ステップＳ６）。
【００５８】
なお、測定チャンネル数にクローズドキャプション信号を識別できるコードを付加することにより、測定チャンネル数に対応するクローズドキャプション信号により表示される文字を判別することができる。例えば、図４に示すように、測定チャンネル数ｎが３であった場合、テレビチャンネルは周波数７７．２５ＭＨｚのテレビチャンネル５を示すので、例えば、「周波数７７．２５ＭＨｚのテレビチャンネル５」と言う文字がディスプレイ装置Ｄに表示できるように、当該クローズドキャプション信号を識別できるコードを測定チャンネル数３に付加すれば、測定チャンネル数３に対応するクローズドキャプション信号により表示される文字を判別することができる。
【００５９】
記録再生機器Ａからのビデオ出力信号にクローズドキャプション信号が乗っていてクローズドキャプション信号をＴ秒検出できれば、当該チャンネルは設定済みのチャンネルとし、このチャンネルを“ＯＫ”としてメモリＭに記憶させるが（ステップＳ７）、そのビデオ出力信号にクローズドキャプション信号が乗っていなければ、クローズドキャプション信号を検出できないので、当該チャンネルは設定不可のチャンネルとして、このチャンネルを“ＮＧ”としてメモリＭに記憶させる（ステップＳ８）。
【００６０】
即ち、パソコンＣの設定済み／設定不可チャンネル記憶手段ｃ６は、クローズドキャプション信号が検出されれば、測定テストしたチャンネルのチャンネル番号を含むテスト結果を“ＯＫ”としてメモリＭに記憶し（ステップＳ７）、クローズドキャプション信号が検出されなければ、測定テストしたチャンネルのチャンネル番号を含むテスト結果を“ＮＧ”としてメモリＭに記憶する（ステップＳ８）。
【００６１】
この後、次のチャンネルの測定テストに入るため、パソコンＣの測定チャンネル数加算手段ｃ７は、測定チャンネル数ｎを＋１加算する（ステップＳ９）。そして、ステップＳ２の処理に戻り、次は測定チャンネル数ｎが２に対して同様な処理（ステップＳ２〜ステップＳ９）を行い、以下同様に、測定チャンネル数ｎがＮを超えると、この例の場合、測定チャンネル数ｎが図５に示すようにＮ＝６８を超えると、パソコンＣのテスト結果出力手段ｃ８は、テスト結果をパソコンＣのディスプレイ装置Ｄに出力する（ステップＳ１０）。以上の処理で本測定テストは終了する。
【００６２】
この第１の実施形態によれば、テレビチューナオートプリセット測定テスト装置を、テレビ信号発生器とパソコンとで構成し、パソコンからの制御によりテレビ信号発生器に対してテレビ放送信号に相当するＲＦ信号の周波数を順次自動で切り換え、記録再生機器のチューナに、ＲＦ信号を供給し、更にＲＦ信号の垂直帰線消去期間に乗せられた重畳信号をテレビ信号発生器から記録再生機器のチューナに供給して、記録再生機器からビデオ出力信号および重畳信号を検出することにより、オートプリセット機能の動作確認を行うことが可能になる。即ち、この構成によれば、自動でチューナの全選局周波数に渡って行われるチャンネルのオートプリセットを確認すると同時にテスト結果をディスプレイ装置に一覧表示することで、受信に失敗したチャンネル（設定不可のチャンネル）を確認することができ、これにより、全てのチャンネルの動作確認する時間が短縮されて記録再生機器の生産効率が向上し、これにより、記録再生機器のコストダウンも図ることが可能になる。
【００６３】
なお、以上説明した第１の実施形態では、垂直帰線消去期間に乗せられる重畳信号は、ＵＳＡ向けの記録再生機器のチューナのテストモードで利用するクローズドキャプション信号としたが、欧州向けでは、テルテキスト信号を利用しても良い。また、日本向けでは、垂直帰線消去期間に乗せられたテスト用信号を利用している。
【００６４】
図７は本発明の第２の実施形態に係るテレビチューナオートプリセット測定テスト装置としてのテレビチューナ測定テスト治具が記録再生機器に接続された状態を示す構成図である。
【００６５】
図７において、Ａは、ＤＶＤレコーダ、ハードディスクレコーダ、ビデオカセットレコーダなどの記録再生機器を示す。Ｅは、テレビ放送信号の周波数のＲＦ信号、このＲＦ信号の垂直帰線消去期間（ＶＢＩ）に乗せられたクローズドキャプション信号、テルテキスト信号などを発生するテレビ信号発生手段と、このテレビ信号手段を制御したり、記録再生機器Ａからのビデオ出力信号を入力して測定したりするテレビチューナ測定テスト治具を示す。Ｆはテレビチューナ測定テスト治具のモニターとしてのテレビ受信機などのディスプレイ装置を示す。テレビチューナ測定テスト治具Ｅの信号出力端子と記録再生機器ＡのＲＦ入力端子とは、ＲＦ信号用ケーブルＬ２により接続されている。記録再生機器Ａのビデオ出力端子とテレビチューナ測定テスト治具Ｅのビデオ入力端子とは、ビデオ信号用ケーブルＬ３により接続されている。
【００６６】
図８は第２の実施形態の特徴としてテレビチューナ測定テスト治具Ｅに設けられたテレビチューナオートプリセット測定機能に必要な手段を説明するためのブロック図である。以下の各手段はマイクロコンピュータなどで実現される。
【００６７】
図８において、テレビチューナ測定テスト治具Ｅは、記録再生機器Ａのチューナにテレビ放送信号の周波数のＲＦ信号およびＲＦ信号の垂直帰線消去期間に乗せられた重畳信号を発生するテレビ信号発生手段ｅ０と、オートプリセット機能の測定テスト対象であるチャンネルの測定チャンネル数が所定の測定チャンネル数以下であるか否かを判定する測定チャンネル数判定手段ｅ１と、測定チャンネル数が所定の測定チャンネル数以下であると判定された場合に測定チャンネル数に対応する周波数のＲＦ信号をテレビ信号発生手段ｅ０から出力させるように制御するＲＦ信号出力制御手段ｅ２と、前記ＲＦ信号をチューナ２で受信した記録再生機器Ａの映像出力回路９から出力されたビデオ出力信号を検出するビデオ出力信号検出手段ｅ３とを有する。
【００６８】
また、テレビチューナ測定テスト治具Ｅは、前記ビデオ出力信号が検出された時にテレビ信号発生手段ｅ０から予め決められた時間でクローズドキャプション信号やテルテキスト信号などの重畳信号をＲＦ信号の垂直帰線消去期間（ＶＢＩ）に乗せて出力させるように制御する重畳信号出力制御手段ｅ４と、前記重畳信号をチューナ２で受信した記録再生機器Ａからの重畳信号を検出できたか否かを判定する重畳信号判定手段ｅ５と、前記重畳信号が検出できたと判定された場合に当該測定テストしたチャンネルを設定済みのチャンネルとして当該チャンネル番号を含むテスト結果をメモリＭに記憶させると共に前記重畳信号が検出できないと判定された場合に当該測定テストしたチャンネルを設定不可のチャンネルとして当該チャンネル番号を含むテスト結果をメモリＭに記憶させる設定済み／設定不可チャンネル記憶手段ｅ６と、前記設定済みまたは設定不可のチャンネル番号を含むテスト結果をメモリＭに記憶した後、測定チャンネル数を＋１加算する測定チャンネル数加算手段ｅ７と、測定チャンネル数が所定の測定チャンネル数を超えると判定された場合にはディスプレイ装置Ｄに前記メモリＭに記憶されたテスト結果を出力するテスト結果出力手段ｅ８とを有する。
【００６９】
図９は第２の実施形態のテレビチューナオートプリセット測定テスト装置としてのテレビチューナ測定テスト治具を用いて記録再生機器におけるテレビチャンネルのオートプリセット機能の測定テストを行う処理を説明するためのフローチャートである。このフローチャートおよび図３、図４、図５、図７、図８を参照して第２の実施形態のテレビチューナオートプリセット測定テスト装置としてのテレビチューナ測定テスト治具を用いて記録再生機器におけるテレビチャンネルのオートプリセット機能の測定テストを行う処理について説明する。
【００７０】
先ず、テレビチューナ測定テスト治具Ｅにおいて初期設定として測定チャンネルｎを０にセットする（ステップＮ１）。そして、測定チャンネル数ｎが最後の測定チャンネル数Ｎを越えるまで、ステップＮ２〜ステップＮ９までの処理を繰り返す。即ち、テレビチューナ測定テスト治具Ｅの測定チャンネル数判定手段ｅ１は、オートプリセット機能の測定テスト対象であるチャンネルに対応する測定チャンネル数ｎが最後の測定チャンネル数Ｎ以下であるか否かを判定し（ステップＮ２）、測定チャンネル数ｎが最後の測定チャンネル数Ｎ以下であると判定された場合には、ＲＦ信号出力制御手段ｅ２は、測定チャンネル数ｎに対応するテレビチャンネルの周波数のＲＦ信号をテレビ信号発生手段ｅ０から出力させるように制御する（ステップＮ３）。
【００７１】
テレビチューナ測定テスト治具Ｅは、指定された測定チャンネル数ｎが０であれば、図４に示すように、テレビチャンネル２を示す周波数５５．２５ＭＨｚのＲＦ信号をテレビ信号発生手段ｅ０より出力させ（ステップＮ３）、この５５．２５ＭＨｚのＲＦ信号を受信した記録再生機器Ａのチューナ２は、そのＲＦ信号を中間周波数の映像信号に変換し、映像音声処理回路３は、その中間周波数の映像信号を増幅して検波して映像信号を生成する処理を行って、映像インターフェイス３１を介して映像信号を出力する。
【００７２】
そして、映像出力回路９は、映像インターフェイス３１を介して入力された映像信号を増幅し、ビデオ出力信号としてビデオ信号ケーブルＬ３を介してテレビチューナ測定テスト治具Ｅのビデオ入力端子に入力する。これにより、テレビチューナ測定テスト治具Ｅのビデオ出力信号検出手段ｃ３は、映像出力回路９からのビデオ出力信号を検出し（ステップＮ４）、このとき、重畳信号出力制御手段ｅ４は、テレビ信号発生手段ｅ０からＲＦ信号の垂直帰線消去期間（ＶＢＩ）に乗せられたクローズドキャプション信号をＴ秒出力させるようにテレビ信号発生手段ｅ０を制御する（ステップＮ５）。
【００７３】
即ち、テレビチューナ測定テスト治具Ｅの重畳信号出力制御手段ｅ４は、テレビ信号発生手段ｅ０を制御して、例えば、５５．２５ＨｚのＲＦ信号の垂直帰線消去期間（ＶＢＩ）に重畳させたクローズドキャプション信号をＴ秒テレビ信号発生手段ｅ０から出力させる。そして、テレビチューナ測定テスト治具Ｅの重畳信号判定手段ｅ５では、記録再生機器Ａからのクローズドキャプション信号をＴ秒検出できたか否かを判定する（ステップＮ６）。
【００７４】
なお、第１の実施形態でも述べたように、測定チャンネル数にクローズドキャプション信号を識別できるコードを付加することにより、測定チャンネル数に対応するクローズドキャプション信号により表示される文字を判別することができる。例えば、図４に示すように、測定チャンネル数ｎが３であった場合、テレビチャンネルは周波数７７．２５ＭＨｚのテレビチャンネル５を示すので、例えば、「周波数７７．２５ＭＨｚのテレビチャンネル５」と言う文字がディスプレイ装置Ｄに表示できるように、当該クローズドキャプション信号を識別できるコードを測定チャンネル数３に付加すれば、測定チャンネル数３に対応するクローズドキャプション信号により表示される文字を判別することができる。
【００７５】
記録再生機器Ａからのビデオ出力信号にクローズドキャプション信号が乗っていてクローズドキャプション信号をＴ秒検出できれば、当該チャンネルは設定済みのチャンネルとし、このチャンネルを“ＯＫ”としてメモリＭに記憶させるが（ステップＮ７）、そのビデオ出力信号にクローズドキャプション信号が乗っていなければ、クローズドキャプション信号を検出できないので、当該チャンネルは設定不可のチャンネルとして、このチャンネルを“ＮＧ”としてメモリＭに記憶させる（ステップＳ８）。
【００７６】
即ち、パソコンＣの設定済み／設定不可チャンネル記憶手段ｃ６は、クローズドキャプション信号が検出されれば、測定テストしたチャンネルのチャンネル番号を含むテスト結果を“ＯＫ”としてメモリＭに記憶し（ステップＮ７）、クローズドキャプション信号が検出されなければ、測定テストしたチャンネルのチャンネル番号を含むテスト結果を“ＮＧ”としてメモリＭに記憶する（ステップＮ８）。
【００７７】
この後、次のチャンネルのテストに入るため、テレビチューナ測定テスト治具Ｅの測定チャンネル数加算手段ｅ７は、測定チャンネル数を＋１加算する（ステップＮ９）。そして、ステップＮ２の処理に戻り、次は測定チャンネル数ｎが２に対して同様な処理（ステップＮ２〜ステップＮ９）を行い、以下同様に、測定チャンネル数ｎがＮを超えると、この例の場合、測定チャンネル数ｎが図５に示すようにＮ＝６８を超えると、テレビチューナ測定テスト治具Ｅのテスト結果出力手段Ｎ８は、テスト結果をテレビチューナ測定テスト治具Ｅのディスプレイ装置Ｆに出力する（ステップＮ１０）。以上の処理で本測定テストは終了する。
【００７８】
この第２の実施形態によれば、テレビチューナオートプリセット測定テスト装置としてテレビチューナ測定テスト治具を用い、テレビ放送信号に相当するＲＦ信号の周波数を順次自動で切り換え、記録再生機器のチューナに、ＲＦ信号を供給し、更にＲＦ信号の垂直帰線消去期間に乗せられた重畳信号を供給して、記録再生機器からビデオ出力信号および重畳信号を検出することにより、オートプリセット機能の動作確認を行うことが可能になる。
【００７９】
即ち、この第２の実施形態によれば、自動でチューナの全選局周波数に渡って行われるチャンネルのオートプリセットを確認すると同時にテスト結果をディスプレイ装置に一覧表示することで、受信に失敗したチャンネル（設定不可のチャンネル）を確認することができ、これにより、全てのチャンネルの動作確認する時間が短縮されて記録再生機器の生産効率が向上し、これにより、記録再生機器のコストダウンも図ることが可能になる。
【００８０】
なお、以上説明した第２の実施形態では、垂直帰線消去期間に乗せられる重畳信号は、ＵＳＡ向けの記録再生機器のチューナのテストモードで利用するクローズドキャプション信号としたが、欧州向けでは、テルテキスト信号を利用しても良い。また、日本向けでは、垂直帰線消去期間に乗せられたテスト用信号を利用している。
【図面の簡単な説明】
【００８１】
【図１】本発明の第１の実施形態に係るテレビチューナオートプリセット測定テスト装置（テレビ信号発生器およびパソコン）が記録再生機器に接続された状態を示す構成図である。
【図２】第１の実施形態の特徴としてパソコンに設けられたテレビチューナオートプリセット測定テスト機能に必要な手段を説明するためのブロック図である。
【図３】第１の実施形態において記録再生機器に備えられているアナログ放送受信装置の構成を示すブロック図である。
【図４】ＵＳＡにおけるテレビチューナ周波数を説明するためのテーブル図である。
【図５】図４に示すテーブル図の続きを示すテーブル図である。
【図６】第１の実施形態のテレビチューナオートプリセット測定テスト装置を用いて記録再生機器におけるテレビチャンネルのオートプリセット機能の測定テストを行う処理を説明するためのフローチャートである。
【図７】本発明の第２の実施形態に係るテレビチューナオートプリセット測定テスト装置としてのテレビチューナ測定テスト治具が記録再生機器に接続された状態を示す構成図である。
【図８】第２の実施形態の特徴としてテレビチューナ測定テスト治具に設けられたテレビチューナオートプリセット測定テスト機能に必要な手段を説明するためのブロック図である。
【図９】第２の実施形態のテレビチューナオートプリセット測定テスト装置としてのテレビチューナ測定テスト治具を用いて記録再生機器におけるテレビチャンネルのオートプリセット機能の測定テストを行う処理を説明するためのフローチャートである。
【符号の説明】
【００８２】
２    チューナ
Ａ    記録再生機器
Ｂ    テレビ信号発生器
Ｃ    パソコン（情報処理装置）
ｃ１    測定チャンネル数判定手段
ｃ２    ＲＦ信号出力制御手段
ｃ３    ビデオ出力信号検出手段
ｃ４    重畳信号出力制御手段
ｃ５    重畳信号判定手段
ｃ６    設定済み／設定不可チャンネル記憶手段
ｃ７    測定チャンネル数加算手段
ｃ８    テスト結果出力手段
Ｄ    ディスプレイ装置
Ｅ    テレビチューナ測定テスト治具
ｅ０    テレビ信号発生手段
ｅ１    測定チャンネル数判定手段
ｅ２    ＲＦ信号出力制御手段
ｅ３    ビデオ信号検出手段
ｅ４    重畳信号出力制御手段
ｅ５    重畳信号判定手段
ｅ６    設定済み／設定不可チャンネル記憶手段
ｅ７    チャンネル数加算手段
ｅ８    テスト結果出力手段
Ｆ    ディスプレイ装置
Ｍ    メモリ
【図１】
2007110277.tif 000003
【図２】
2007110277.tif 000004
【図３】
2007110277.tif 000005
【図４】
2007110277.tif 000006
【図５】
2007110277.tif 000007
【図６】
2007110277.tif 000008
【図７】
2007110277.tif 000009
【図８】
2007110277.tif 000010
【図９】
2007110277.tif 000011